(57)【要約】【課題】収納物の回転を防いで、蓋体を外して収納物の位置を調整することなく外部から開口部を通して収納物を確認でき、また、見映えよく陳列できるようにする。【解決手段】外部より収納物２０が確認できる開口部４ａを有した円筒型包装容器１において、有底円筒形状に形成された透明な容器本体２と、容器本体２の上側を被う蓋体と、容器本体２の内部に装着され、突片５を切り起こすためのスリット及び折り曲げ線を有する円筒状の内側台紙４とを設ける。突片５は、折り曲げ線を境に内側へ折り返されることで開口部４ａを形成し、折り返された突片５が収納物２０を挟んだ状態で収納物２０の正面２０ａが見えるようにする。【選択図】図５
2008087832.tif 000002
【特許請求の範囲】
【請求項１】
外部より収納物が確認できる開口部を有した円筒型包装容器であって、
有底円筒形状に形成された透明な容器本体と、
上記容器本体の上側を被う蓋体と、
上記容器本体の内部に装着され、複数の突片を切り起こすためのスリット及び折り曲げ線を有する円筒状の内側台紙とを備え、
上記複数の突片が上記折り曲げ線を境に内側へ折り返されることで上記開口部が形成され、該折り返された複数の突片が上記収納物を挟んだ状態で該収納物の正面が見えるように構成されている
ことを特徴とする円筒型包装容器。
【請求項２】
請求項１に記載の円筒型包装容器において、
上記突片は、左右に観音開き自在に構成されている
ことを特徴とする円筒型包装容器。
【請求項３】
請求項１又は２に記載の円筒型包装容器において、
上記収納物は、板状の貼付体に固定された状態で、該貼付体が上記複数の突片の内側端部に当接するように収納される
ことを特徴とする円筒型包装容器。
【請求項４】
請求項３に記載の円筒型包装容器において、
上記容器本体の底面には、収納物の下端部に当接して該収納物の回転を防止する複数の回転防止用突起が設けられている
ことを特徴とする円筒型包装容器。
【請求項５】
請求項４に記載の円筒型包装容器において、
上記収納物は、上記各回転防止用突起が上記貼付体の下端部に当接するように収納される
ことを特徴とする円筒型包装容器。
【請求項６】
請求項５に記載の円筒型包装容器において、
上記貼付体の背面側には、上記収納物の付属品が収納される
ことを特徴とする円筒型包装容器。
【請求項７】
請求項４乃至６のいずれか１つに記載の円筒型包装容器において、
上記容器本体は、透明な樹脂シートを組み立てて溶着して成形され、背面側に継ぎ目が形成されている
ことを特徴とする円筒型包装容器。
【請求項８】
請求項４乃至６のいずれか１つに記載の円筒型包装容器において、
上記容器本体には、装飾が施されている
ことを特徴とする円筒型包装容器。
【請求項９】
請求項１乃至６のいずれか１つに記載の円筒型包装容器において、
上記容器本体は、ブロー成形で継ぎ目なしで形成されたものである
ことを特徴とする円筒型包装容器。
【請求項１０】
請求項１乃至９のいずれか１つに記載の円筒型包装容器において、
上記容器本体は、ポリエチレン‐テレフタラートで形成されている
ことを特徴とする円筒型包装容器。
【発明の詳細な説明】
【技術分野】
【０００１】
本発明は、外部より収納物が確認できる開口部を有した円筒型包装容器に関するものである。
【背景技術】
【０００２】
従来より、外部から収納物が確認できる開口部を有した円筒型包装容器は知られている。
【０００３】
例えば、特許文献１は、有底円筒形状の容器本体の前面に開口部を設け、ビニール袋に入れた植物を帯ひもで結んだ状態で容器本体に収納し、帯ひもを開口部を通して外側に引き出して容器本体の外周に結んで固定する円筒型包装容器が開示されている。
【０００４】
この円筒型包装容器では、上側が蓋で被われていないので、上部から収納物を確認できるが、蓋がないため運搬等の取り扱いは容易ではない。
【０００５】
ところで、容器本体を透明にして収納物の正面が外観に現れるようにした円筒型包装容器が知られている。例えば、図７に収納物１２０を確認するための開口部１０４ａが設けられた一般的な円筒型包装容器１０１を示す。図８に示すように、内側台紙１０４には、開口部１０４ａとなる孔が形成されている。図９のように、この開口部１０４ａを設けた内側台紙１０４を丸めて円筒状にし、有底円筒型の透明な容器本体１０２内面に接するように装着する。この状態で、収納物１２０を挿入し、蓋体１０３を閉じ、開口部１０４ａから収納物１２０を確認できるようにして、陳列等が行えるようにしている。
【特許文献１】特開平１０−２５８８８５号公報
【発明の開示】
【発明が解決しようとする課題】
【０００６】
しかしながら、上記従来の円筒型包装容器では、収納された収納物は円筒型包装容器に対し、回転自在であり、収納物の正面を開口部に合わせることができなかったり、見映えよく陳列できなかったりする場合があった。
【０００７】
具体的には、図１０に示すように、収納物１２０は容器本体１０２に対し、回転自在であり（矢印Ａで示す）、容器本体１０２の内面に設けられた開口部１０４ａを有する内側台紙１０４も回転自在であるため（矢印Ｂで示す）、収納時に開口部１０４ａと収納物１２０の正面１２０ａとを合致させていても、運搬時などにずれてしまい、開口部１０４ａを通して外部から収納物１２０を確認できない場合があった。また、容器本体１０２に継ぎ目１０２ａや装飾がある場合には、収納物１２０の正面１２０ａに継ぎ目１０２ａや装飾が来て見映えよく陳列できない場合があった。これらの場合には、蓋体を外して収納物の位置を調整するという余計な作業が必要であった。
【０００８】
本発明は、かかる点に鑑みてなされたものであり、その目的とするところは、収納物の回転を防いで、蓋体を外して収納物の位置を調整することなく外部から開口部を通して収納物を確認できるようにすることにある。
【０００９】
さらに、別の目的とするところは、容器本体に装飾や継ぎ目がある場合に収納物の回転を防いで、蓋体を外して収納物の位置を調整することなく収納物を見映えよく陳列できるようにすることにある。
【課題を解決するための手段】
【００１０】
上記の目的を達成するために、この発明では、開口部を形成する突片で収納物を挟むようにした。
【００１１】
具体的には第１の発明では、外部より収納物が確認できる開口部を有した円筒型包装容器を前提とし、
有底円筒形状に形成された透明な容器本体と、
上記容器本体の上側を被う蓋体と、
上記容器本体の内部に装着され、複数の突片を切り起こすためのスリット及び折り曲げ線を有する円筒状の内側台紙とを備え、
上記複数の突片が上記折り曲げ線を境に内側へ折り返されることで上記開口部が形成され、該折り返された複数の突片が上記収納物を挟んだ状態で該収納物の正面が見えるように構成されている。
【００１２】
上記の構成によると、開口部を形成する複数の突片が収納物を狭持するので、該収納物が内側台紙の開口部に対して運搬時などにずれることはない。このため、蓋体で上部を被ったままでも、外部から開口部を通して収納物を確認できる。
【００１３】
第２の発明では、上記突片は、左右に観音開き自在に構成されている。
【００１４】
上記の構成によると、収納物が、容器本体の上側から挿入されるときに、左右の突片の内側端部に沿って誘導されると共に、左右の突片が収納物を挟みやすいので、収納物が安定する。
【００１５】
第３の発明では、上記収納物は、板状の貼付体に固定された状態で、該貼付体が上記複数の突片の内側端部に当接するように収納される。
【００１６】
上記の構成によると、貼付体が複数の突片の内側端部に当接することで、収納物が開口部側へ倒れるのを防止するので、さらに収納物が開口部に対して安定する。このため、蓋体で上部を被ったままでも、確実に外部から開口部を通して収納物を確認できる。
【００１７】
第４の発明では、上記容器本体の底面には、収納物に当接して該収納物の回転を防止する複数の回転防止用突起が設けられている。
【００１８】
上記の構成によると、容器本体の底面に設けた複数の回転防止用突起が収納物の回転を防止するので、容器本体に対して収納物が回転するのが防止される。このため、容器本体に対して定位置に収納物が固定されると共に、収納物が内側台紙の開口部に対してずれることはないので、特に容器本体に継ぎ目があるような場合や装飾を施したような場合でも、容器本体の継ぎ目や装飾がずれて収納物の正面に来ることはない。
【００１９】
第５の発明では、上記収納物は、上記各回転防止用突起が上記貼付体の下端部に当接するように収納される。
【００２０】
上記の構成によると、各回転防止用突起が貼付体の下端部に当接することにより、貼付体が突片と回転防止用突起との両方でしっかりと固定され、収納物の回転が確実に防止されるので、運搬時等に収納物が回転して外部から確認できなくなることはない。
【００２１】
第６の発明では、上記貼付体の背面側には、上記収納物の付属品が収納される。
【００２２】
上記の構成によると、付属品が、突片と回転防止用突起とでしっかり固定された貼付体の背面側に収納されるので、運搬時等にも付属品が、がたつかず、容器本体内の空いたスペースが有効に利用される。
【００２３】
第７の発明では、上記容器本体は、透明な樹脂シートを組み立てて溶着して成形され、背面側に継ぎ目が形成されている。
【００２４】
上記の構成によると、回転防止用突起によって収納物が容器本体に対して回転しないので、容器本体の継ぎ目がずれて収納物の正面に来ることはない。このため、収納物が見映えよく陳列される。
【００２５】
第８の発明では、上記容器本体には、装飾が施されている。
【００２６】
上記の構成によると、回転防止用突起によって収納物が容器本体に対して回転しないので、容器本体の装飾がずれて収納物の正面に来ることはない。このため、収納物が見映えよく陳列される。
【００２７】
第９の発明では、上記容器本体は、ブロー成形で継ぎ目なしで形成されたものとする。
【００２８】
上記の構成によると、容器本体に継ぎ目がないので、開口部がずれたとしても、収納物が見映えよく陳列される。このため、回転防止用突起等の回転防止手段を設ける必要はない。
【００２９】
第１０の発明では、上記容器本体は、ポリエチレン‐テレフタラートで形成されている。
【００３０】
上記の構成によると、ＰＥＴ（ポリエチレン‐テレフタラート）は、安価で加工しやすく、リサイクル可能であるため、容器本体に適している。
【発明の効果】
【００３１】
以上説明したように、本発明では、透明な容器本体の内部に装着される内側台紙に設けた突片を折り返して開口部を形成し、突片で収納物を挟んだ状態で、収納した収納物を開口部から確認できるようにした。このため、収納物が内側台紙に対して回転するのが防止され、蓋体を外して収納物の位置を調整することなく外部から開口部を通して収納物を確認することができる。
【００３２】
また、容器本体に装飾や継ぎ目がある場合でも収納物の回転を防いで装飾や継ぎ目が収納物の正面に来ることはないので、蓋体を外して収納物の位置を調整することなく外部から開口部を通して収納物を見映えよく陳列できる。
【発明を実施するための最良の形態】
【００３３】
以下、本発明の実施形態を図面に基づいて説明する。
【００３４】
図１に本発明の実施形態にかかる円筒型包装容器に収納物を収納した様子を示す。図２に円筒型包装容器の分解斜視図を示す。
【００３５】
円筒型包装容器１は、有底円筒形状に形成された透明な樹脂製の容器本体２を備えている。容器本体２の上側は、皿形状の蓋体３で被われている。これら容器本体２と蓋体３とは、それぞれ、例えば、シート状の透明なＰＥＴ（ポリエチレン‐テレフタラート）を組み立てた状態で溶着して形成される。このとき、容器本体２の背面側には、溶着による継ぎ目２ａが形成されている。容器本体２は、有色透明のものであってもよく、収納物２０の内容等を示す装飾が施されていてもよい。ＰＥＴは、安価で加工しやすく、リサイクル可能であるため、容器本体２や蓋体３の材料として適している。容器本体２の内部には、円筒状の内側台紙４が装着されている。
【００３６】
図３に示すように、内側台紙４は、展開した状態では、矩形状であり、突片５を切り起こすためのスリット５ａ及び一対の折り曲げ線５ｂとを備えている。例えば、この内側台紙４は、厚紙で構成されている。本実施形態では、一対の折り曲げ線５ｂは、互いに平行に配置されているが、平行でなくてもよい。
【００３７】
図４に示すように、内側台紙４を丸めて円筒状とし、左右一対の突片５が折り曲げ線５ｂを境に内側へ折り返されることで、左右方向に観音開きで突片５が開かれて開口部４ａが形成されるようになっている。例えば、内側台紙４を丸めるだけで、その左右端部を接着せず、容器本体２に挿入すれば、組立が容易である。内側台紙４は、単独では容器本体２に対して回転自在となっている。
【００３８】
図１に示す梱包状態では、開口部４ａを通して外部より収納物２０が確認できる。また、この折り返された突片５が収納物２０を挟んで収納物２０の正面２０ａが見えるように構成されている。収納物２０は、特に限定されず、例えば、携帯電話機等の電子機器とする。
【００３９】
図５に示すように、例えば上記収納物２０は、凹凸のあるようにプレス成形されたＰＥＴシート等により、厚紙よりなる板状の貼付体２１に固定されている。この状態で、この貼付体２１が突片５の内側端部５ｃに当接するように収納されている。収納物２０は、その下端部が、一対の突片５を押し広げるようにして挿入される。
【００４０】
図２に示すように、上記容器本体２の底面２ｂには、収納物２０に当接して該収納物２０の回転を防止する一対の回転防止用突起６が設けられている。つまり、回転防止用突起６は、左右に所定の間隔を空けて底面２ｂに一体に形成されている。この回転防止用突起６の形状は、蓋体３側へ突出するようにプレス成形したものや、平面視コ字状にスリットを設けて蓋体３側に折り返したものなど、特に限定されない。本実施形態では、収納物２０は、回転防止用突起６が貼付体２１の下端部２１ａに当接するように収納されている。なお、収納物２０の下端部が直接回転防止用突起６に当接するようにしてもよい。
【００４１】
また、貼付体２１の背面側には、収納物２０の付属品２２が収納されるようにしてもよい。例えば、収納物２０が携帯電話機のときには、付属品２２として、バッテリーや取扱説明書が考えられる。
【００４２】
−収納物の梱包手順−
次に、本実施形態にかかる円筒型包装容器１に収納物を梱包する手順について説明する。
【００４３】
まず、図２に示すように、内側台紙４のスリット５ａを折り曲げ線５ｂを境に折り込んで突片５を観音開きに開いて開口部４ａを形成する。
【００４４】
次いで、内側台紙４を容器本体２の内面に接するように丸めて装着する。このとき、回転防止用突起６に合わせて開口部４ａが配置されるようにする。容器本体２の継ぎ目２ａは、開口部４ａと一致しないようにする。
【００４５】
次いで、容器本体２の上方から板状の貼付体２１に固定された収納物２０を挿入する。このとき、貼付体２１の前面が突片５の内側端部５ｃに当接するように、かつ、貼付体２１の下端部２１ａが回転防止用突起６に当接するように、収納物２０を挿入する。突片５により、収納物２０が下方へガイドされるので、定位置に挿入しやすくなっている。
【００４６】
次いで、付属品２２があるときには、付属品２２も貼付体２１の背面側に収納する。
【００４７】
次いで、容器本体２に蓋体３を軽く押し込むように取り付ける。このことで、円筒型包装容器１が図１に示す梱包状態となる。
【００４８】
この梱包状態では、開口部４ａを形成する一対の突片５が収納物２０を狭持するので、該収納物２０が内側台紙４の開口部４ａに対して運搬時などにずれることはない。また、貼付体２１が突片５に当接することで、収納物２０が開口部４ａ側へ倒れるのを防止するので、さらに収納物２０が開口部４ａに対して安定する。
【００４９】
さらに、容器本体２の底面２ｂに設けた回転防止用突起６が貼付体２１の下端部２１ａに当接し、貼付体２１をしっかりと固定して収納物２０の回転を防止するので、容器本体２に対して収納物２０が回転するのが確実に防止される。このため、容器本体２の継ぎ目２ａや装飾がずれて収納物２０の正面２０ａに来ることはないので、収納物２０が見映えよく陳列される。
【００５０】
また、付属品２２は、突片５と回転防止用突起６とでしっかり固定された貼付体２１の背面側に収納されるので、運搬時にも付属品２２が、がたつかず、容器本体２内の空いたスペースが有効に利用される。
【００５１】
−実施形態の効果−
したがって、本実施形態の円筒型包装容器１によると、透明な容器本体２の内部に装着される内側台紙４に設けた突片５を折り返して開口部４ａを形成し、突片５で収納物２０を挟んだ状態で、収納した収納物２０を開口部４ａから確認できるようにした。このため、収納物２０が内側台紙４に対して回転するのが防止され、蓋体３を外して収納物２０の位置を調整することなく外部から開口部４ａを通して収納物２０を確認することができる。
【００５２】
また、容器本体２に継ぎ目２ａや装飾がある場合でも収納物２０の回転を防いで継ぎ目２ａや装飾が収納物２０の正面に来ることはないので、蓋体３を外して収納物２０の位置を調整することなく収納物２０を見映えよく陳列できる。
【００５３】
（その他の実施形態）
本発明は、上記実施形態について、以下のような構成としてもよい。
【００５４】
すなわち、上記実施形態では、容器本体２として、シート状の透明なＰＥＴを組み立てた状態で溶着して形成したものを用いたが、容器本体２は、ブロー成形で継ぎ目２ａなしで形成されたものでもよい。この容器本体２に装飾等がなければ、収納物２０と容器本体２の位置を規制する必要がないので、容器本体２に回転防止用突起６を設けなくてもよい。この場合、図６に矢印Ａで示すように、収納物２０が、容器本体２内で回転しても突片５で形成された開口部４ａは収納物２０を挟んだ状態で収納物２０と共に回転するので、蓋体３を外して収納物２０の位置を調整することなく収納物２０を見映えよく陳列することができる。
【００５５】
上記実施形態では、開口部４ａを１つだけ設けたが、複数個設けてもよい。
【００５６】
上記実施形態では、回転防止用突起６を一対設けたが、３個以上設けてもよい。
【００５７】
なお、以上の実施形態は、本質的に好ましい例示であって、本発明、その適用物や用途の範囲を制限することを意図するものではない。
【図面の簡単な説明】
【００５８】
【図１】本発明の実施形態にかかる円筒型包装容器に収納物を収納した様子を示す斜視図である。
【図２】円筒型包装容器の分解斜視図である。
【図３】内側台紙の平面図である。
【図４】挿入前の内側台紙の斜視図である。
【図５】図１のＶ−Ｖ線断面図である。
【図６】その他の実施形態にかかる図５相当図である
【図７】従来技術にかかる円筒型包装容器に収納物を収納した様子を示す斜視図である。
【図８】従来技術にかかる円筒型包装容器の分解斜視図である。
【図９】従来技術にかかる内側台紙の平面図である。
【図１０】図７のＸ−Ｘ線断面図である。
【符号の説明】
【００５９】
１      円筒型包装容器
２      容器本体
２ａ    継ぎ目
２ｂ    底面
３      蓋体
４      内側台紙
４ａ    開口部
５      突片
５ａ    スリット
５ｂ    折り曲げ線
５ｃ    内側端部
６      回転防止用突起
２０      収納物
２０ａ    正面
２１      貼付体
２１ａ    下端部
２２      付属品
【図１】
2008087832.tif 000003
【図２】
2008087832.tif 000004
【図３】
2008087832.tif 000005
【図４】
2008087832.tif 000006
【図５】
2008087832.tif 000007
【図６】
2008087832.tif 000008
【図７】
2008087832.tif 000009
【図８】
2008087832.tif 000010
【図９】
2008087832.tif 000011
【図１０】
2008087832.tif 000012